(57)【要約】【課題】トリガーを手前に引き易いトリガー式ポンプディスペンサーを提供すること。【解決手段】本発明は、第１トリガー３の回動により液体貯留室６内の液体に圧を加え、ノズル部２から液体を噴射するトリガー式ポンプディスペンサー１０において、第１トリガー３を回動させるための第２トリガー５を備えるトリガー式ポンプディスペンサーである。【選択図】図１
2010269222.tif 000002
【特許請求の範囲】
【請求項１】
第１トリガーの回動により液体貯留室内の液体に圧を加え、ノズル部から前記液体を噴射するトリガー式ポンプディスペンサーにおいて、
前記第１トリガーを回動させるための第２トリガーを備えることを特徴とするトリガー式ポンプディスペンサー。
【請求項２】
前記液体貯留室がベース体に備わっており、
前記第１トリガーが前記ベース体に枢着され、
前記第２トリガーが前記第１トリガーより前位置にて前記ベース体に枢着されていることを特徴とする請求項１記載のトリガー式ポンプディスペンサー。
【請求項３】
前記液体貯留室がシリンダ部を備え、前記第１トリガーの回動により該シリンダ部内のピストン部を摺動させて前記シリンダ部内の液体に圧を加えることを特徴とする請求項１又は２に記載のトリガー式ポンプディスペンサー。
【請求項４】
前記液体貯留室と前記ノズル部とが、屈曲部により連結されていることを特徴とする請求項１〜３のいずれか一項に記載のトリガー式ポンプディスペンサー。
【請求項５】
前記第２トリガーの壁面に前記第１トリガーの先端が摺接されていることを特徴とする請求項１〜４のいずれか一項に記載のトリガー式ポンプディスペンサー。
【請求項６】
前記第１トリガーの先端が球形状であることを特徴とする請求項５記載のトリガー式ポンプディスペンサー。
【請求項７】
前記第１トリガーが前記第２トリガーに収容されていることを特徴とする請求項１〜６のいずれか一項に記載のトリガー式ポンプディスペンサー。
【発明の詳細な説明】
【技術分野】
【０００１】
本発明は、トリガー式ポンプディスペンサーに関する。
【背景技術】
【０００２】
所定の部分に薬液等の液体を噴射する装置として、トリガー式ポンプディスペンサーが知られている。
かかるトリガー式ポンプディスペンサーの例として、トリガーを手前に引くことにより、トリガーがシリンダ内の液体に圧を加え、該液体をノズル部から噴射する形式のものが知られている（例えば、特許文献１〜４参照）。
【先行技術文献】
【特許文献】
【０００３】
【特許文献１】特開２００６−１９８４４６号公報
【特許文献２】特開２００８−３６４８８号公報
【特許文献３】特開２００８−１４９２５２号公報
【特許文献４】特開２００９−５０７９４号公報
【発明の概要】
【発明が解決しようとする課題】
【０００４】
しかしながら、上記特許文献１〜４記載のトリガー式ポンプディスペンサー２０においては、例えば、図８に示すように、トリガー３を手前に引くと、トリガー３がシリンダ（図示しない）を下方向に押すので、トリガー３が斜め下方向に回動することになる。
そうすると、掌でトリガー式ポンプディスペンサー２０を握り、指をトリガー３に引っ掛けて手前に引く場合、トリガー３が斜め下方向に回動するので、手前に引き難く、力が入り難いという欠点がある。
【０００５】
本発明は、上記事情に鑑みてなされたものであり、トリガーを手前に引き易いトリガー式ポンプディスペンサーを提供することを目的とする。
【課題を解決するための手段】
【０００６】
本発明者等は、上記課題を解決するため鋭意検討したところ、敢えて、第１トリガーを回動させる第２トリガーを設けることにより、上記課題を解決できることを見出し、本発明を完成させるに至った。
【０００７】
すなわち、本発明は、（１）第１トリガーの回動により液体貯留室内の液体に圧を加え、ノズル部から液体を噴射するトリガー式ポンプディスペンサーにおいて、第１トリガーを回動させるための第２トリガーを備えるトリガー式ポンプディスペンサーに存する。
【０００８】
本発明は、（２）液体貯留室がベース体に備わっており、第１トリガーがベース体に枢着され、第２トリガーが第１トリガーより前位置にてベース体に枢着されている上記（１）記載のトリガー式ポンプディスペンサーに存する。
【０００９】
本発明は、（３）液体貯留室がシリンダ部を備え、第１トリガーの回動により該シリンダ部内のピストン部を摺動させてシリンダ部内の液体に圧を加える上記（１）又は（２）に記載のトリガー式ポンプディスペンサーに存する。
【００１０】
本発明は、（４）液体貯留室とノズル部とが、屈曲部により連結されている上記（１）〜（３）のいずれか一つに記載のトリガー式ポンプディスペンサーに存する。
【００１１】
本発明は、（５）第２トリガーの壁面に第１トリガーの先端が摺接されている上記（１）〜（４）のいずれか一つに記載のトリガー式ポンプディスペンサーに存する。
【００１２】
本発明は、（６）第１トリガーの先端が球形状である上記（５）記載のトリガー式ポンプディスペンサーに存する。
【００１３】
本発明は、（７）第１トリガーが第２トリガーに収容されている上記（１）〜（６）のいずれか一つに記載のトリガー式ポンプディスペンサーに存する。
【発明の効果】
【００１４】
本発明のトリガー式ポンプディスペンサーは、第１トリガーを回動させるための第２トリガーを備えることにより、第１トリガーを手前に引き易くなる。
例えば、第１トリガーがベース体に枢着され、第２トリガーが第１トリガーより前位置にてベース体に枢着されていると、第１トリガーを手前に引く際、第１トリガーが斜め下方向に回動したとしても、第２トリガーが略水平方向に回動する。
このため、掌で第１トリガー式ポンプディスペンサーを握り、指を第２トリガーに引っ掛けて手前に引く場合、第２トリガーの引く方向が水平に近くなるので、手前に引き易く、力が入り易くなる。なお、第２トリガーがベース体の前位置に枢着されている程、回動する方向は、より水平に近くなる。
【００１５】
上記トリガー式ポンプディスペンサーにおいては、液体貯留室がシリンダ部を備えると、第１トリガーの回動に応じて効率よく液体に圧を加えることができる。
【００１６】
上記トリガー式ポンプディスペンサーにおいては、液体貯留室とノズル部とが、屈曲部により連結されていると、液体貯留室から直接ノズル部に液体を送流することができるのでロスが少なくなる。また、屈曲部は、屈曲可能であるので、第１トリガーの動き確実に追従させることができる。
【００１７】
上記トリガー式ポンプディスペンサーにおいては、第２トリガーの壁面に第１トリガーの先端が摺接されている場合、第２トリガーの動きと第１トリガーの動きとを確実に連動させることができる。なお、第１トリガーの先端が球形状であると、第１トリガーの先端が第２トリガーの壁面を滑り易くなるので、第２トリガーの動きと第１トリガーの動きとの連動がよりスムーズになる。
【００１８】
上記トリガー式ポンプディスペンサーにおいては、第１トリガーが第２トリガーに収容されていると、第１トリガーと第２トリガーとの横ずれが抑制されるので、取り扱い易い。また、見栄えもよい。
【図面の簡単な説明】
【００１９】
【図１】図１の（ａ）は、本発明に係るトリガー式ポンプディスペンサーの一実施形態を示す断面図であり、（ｂ）は、（ａ）のトリガー式ポンプディスペンサーの第１トリガーを引いた状態を示す断面図である。
【図２】図２の（ａ）及び（ｂ）は、本発明に係るトリガー式ポンプディスペンサーの第１トリガーと第２トリガーとの動きの関係を説明するための部分側面図である。
【図３】図３は、他の実施形態に係るトリガー式ポンプディスペンサーの液体貯留室を示す部分断面図である。
【図４】図４の（ａ）及び（ｂ）は、他の実施形態に係るトリガー式ポンプディスペンサーの第２トリガーを示す部分側面図である。
【図５】図５の（ａ）及び（ｂ）は、他の実施形態に係るトリガー式ポンプディスペンサーの第２トリガーを示す部分側面図である。
【図６】図６の（ａ）及び（ｂ）は、他の実施形態に係るトリガー式ポンプディスペンサーの第２トリガーを示す部分側面図である。
【図７】図７の（ａ）及び（ｂ）は、他の実施形態に係るトリガー式ポンプディスペンサーの第２トリガーを示す部分側面図である。
【図８】図８は、従来のトリガー式ポンプディスペンサーを示す部分側面図である。
【発明を実施するための最良の形態】
【００２０】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２１】
図１の（ａ）は、本発明に係るトリガー式ポンプディスペンサーの一実施形態を示す断面図であり、（ｂ）は、（ａ）のトリガー式ポンプディスペンサーの第１トリガーを引いた状態を示す断面図である。
【００２２】
図１の（ａ）に示すように、本実施形態に係るトリガー式ポンプディスペンサー１０は、ベース体１と、該ベース体１に枢着された第１トリガー３と、該第１トリガー３より前位置にてベース体１に枢着された第２トリガー５と、ベース体１に備わり、液体を貯留するための液体貯留室６と、液体を噴射させるノズル部２と、ベース体１を容器に固定するためのキャップ７と、を備える。
【００２３】
ベース体１は、液体貯留室６を備える。なお、かかるベース体１は、キャップ７を介して、図示しない容器に取り付けられる。
また、ベース体１には、第１トリガー用枢着部１３及び第２トリガー用枢着部１５が設けられている。
【００２４】
第１トリガー３は、ベース体１の後部の第１トリガー用枢着部１３に、回動可能となるように枢着されている。
第１トリガー３は、ベース体１の第１トリガー用枢着部１３に直接枢着された押圧部３ａと、該押圧部３ａから折曲するように連結された把持部３ｂと、からなる。すなわち、第１トリガー３は、くの字の形状となっている。
【００２５】
押圧部３ａは、液体貯留室６を上下方向に圧する部分であり、把持部３ｂは、直接、手で手前に引く部分である。かかる把持部３ｂが手前に引かれることにより、第１トリガー３は、第１トリガー用枢着部１３を中心軸として回動される。すなわち、図１の（ｂ）に示すように、第１トリガー３が斜め下方向に回動すると、液体貯留室６が圧せられる。
【００２６】
本実施形態に係るトリガー式ポンプディスペンサー１０は、更に第２トリガー５を備える。かかる第２トリガー５は、第１トリガー３に動きを与えるものである。
第２トリガー５は、ベース体１の前部の第２トリガー用枢着部１５に、回動可能となるように枢着されている。すなわち、第２トリガー５は、第１トリガー３より前位置にてベース体１に枢着されている。
このため、第２トリガー５の回転の支点は、第１トリガー３の回転の支点よりも前位置となる。すなわち、第１トリガー３は斜め下方向に回動するのに対し、第２トリガー５は、第１トリガー３よりも水平に近い方向で回動することになる。
【００２７】
図２の（ａ）及び（ｂ）は、本発明に係るトリガー式ポンプディスペンサーの第１トリガーと第２トリガーとの動きの関係を説明するための部分側面図である。なお、図２の（ａ）は、トリガー式ポンプディスペンサー１０の第２トリガー５を手前に引く前の状態を示し、図２の（ｂ）は、第２トリガー５を手前に引いた後の状態を示す。
【００２８】
図２の（ａ）及び（ｂ）に示すように、本実施形態に係るトリガー式ポンプディスペンサー１０においては、第１トリガー３が第２トリガー５に収容された状態となっている。すなわち、第２トリガー５は、断面コの字状で、内部が空間となっており、第２トリガー５の内部空間に第１トリガー３の少なくとも一部が収納される。
【００２９】
このため、掌でトリガー式ポンプディスペンサー１０を握り、指を第２トリガー５に引っ掛けて手前に引くと、第２トリガー５が回動し、第２トリガー５の内部の壁面５ａに摺接されている第１トリガー３も回動することになる。このときの第２トリガー５は、上述したように、略水平方向に回動するので、手前に引き易く、力が入り易くなる。
また、上記トリガー式ポンプディスペンサーにおいては、第１トリガー３が第２トリガー５に収容されているので、第２トリガー５を手前に引く際の第１トリガー３との相互の横方向へのずれを極力抑制できる。
【００３０】
上記トリガー式ポンプディスペンサー１０においては、第１トリガー３の先端３ｃが球形状となっており、第２トリガー５の壁面５ａに第１トリガー３の先端３ｃが摺接されている。
【００３１】
図２の（ａ）に示すように、第２トリガー５を手前に引く前は、第１トリガー３の先端３ｃは、第２トリガー５の内側の壁面５ａの中腹部に当接されており、第２トリガー５を手前に引くと、第１トリガー３の先端３ｃは、第２トリガー５の内側の壁面５ａを摺れながら下方に回動する。
そして、第２トリガー５を手前に引いた後は、図２の（ｂ）に示すように、第１トリガー３の先端３ｃは、第２トリガー５の内側の壁面５ａの下部に当接されるようになる。
【００３２】
このように、上記トリガー式ポンプディスペンサー１０においては、第２トリガー５の裏側の壁面５ａに第１トリガー３の先端３ｃを摺接させるので、第２トリガー５の動きを第１トリガー３の動きに、確実に連動させることができる。
また、第１トリガー３の先端３ｃが球状であると、第２トリガー５の壁面５ａを滑り易くなるので、第２トリガー５の動きと第１トリガー３の動きとの連動がよりスムーズになる。
【００３３】
図１に戻り、液体貯留室６は、ベース体１に収容されており、噴射される液体が貯留される。
かかる液体貯留室６は、中空円筒状のシリンダ部６ｂと、該シリンダ部６ｂ内の壁面を摺動するピストン部６ａと、シリンダ部６ｂに液体を流入させる管６ｃとを備える。
【００３４】
シリンダ部６ｂは、管６ｃと連通しており、管６ｃから吸引された液体が貯留されるようになっている。
一方、ピストン部６ａは、上述した第１トリガー３の押圧部３ａに連動してシリンダ部６ｂの壁面を摺動するようになっている。
したがって、シリンダ部６ｂに貯留された液体には、ピストン部６ａの摺動により、圧が加えられる。すなわち、上記トリガー式ポンプディスペンサー１０においては、第１トリガー３の回動に応じて効率よく液体に圧を加えることができるようになっている。
【００３５】
ノズル部２は、液体が噴射されるノズル口２ａを備える。
上述した液体貯留室６に貯留された液体は、屈曲部８を通過し、かかるノズル口２ａから噴射される。
【００３６】
ノズル部２には、ノズルキャップ４が取り付けられる。ノズルキャップ４は、ノズル部２を保護すると共に、ＯＮ，ＯＦＦ機能並びにその内部で液体を回転させノズル口２ａを通過させ  霧を発生させるという機能を有する。
【００３７】
上記トリガー式ポンプディスペンサー１０においては、液体貯留室６とノズル部２とが、屈曲自在な屈曲部８により連結されている。
屈曲部８は、外側に多数の鍔が形成された円筒状となっており、内部に液体が流通するようになっている。すなわち、液体貯留室６に貯留された液体は、屈曲部８を通って、ノズル部２に送流される。
このため、液体貯留室６から直接ノズル部２に液体をロスなく送流することができる。
また、屈曲部８は、多数の鍔が外側に形成されているので、断面が変形しにくく、また、第１トリガー３の動きに確実に追従させることができる。
【００３８】
次に、本実施形態に係るトリガー式ポンプディスペンサー１０を用いて液体を吐出する作用について説明する。
【００３９】
まず、図示しない容器内に所定の液体を注入する。そして、該液体が収容された容器の口に上記トリガー式ポンプディスペンサー１０のキャップ７を取り付ける。
【００４０】
上記液体としては、例えば、化粧水、香水、調味料、頭髪調整剤、塗料、潤滑剤、洗浄液、殺虫剤等が挙げられる。また、上記容器は、容器の口に上記トリガー式ポンプディスペンサー１０を取り付け可能であれば、形状、材質等、特に限定されない。
【００４１】
次に、トリガー式ポンプディスペンサー１０の第２トリガー５に指を掛け、矢印Ａの方向（手前側）に引いて図１の（ｂ）に示す状態とする。このとき、第２トリガー５が第２トリガー用枢着部１５を軸として回動すると共に、第１トリガー３が第１トリガー用枢着部１３を軸として回動する。また、第１トリガー３の押圧部３ａが液体貯留室６のピストン部６ａを押し下げる。
これにより、シリンダ部６ｂ内の液体に圧が加わり、該液体が液体貯留室６から屈曲部８を介して、ノズル部２に送流され、ノズル口２ａから噴射されることになる。
【００４２】
そして、トリガー式ポンプディスペンサー１０の第２トリガー５から指を放すと、スプリング９の復元力により、第１トリガー３が図１の（ａ）に示す状態に戻り、液体貯留室６のピストン部６ａが上昇する。これにより、シリンダ部６ｂ内が負圧となる。そうすると、その負圧により、容器内に収容された液体が管６ｃから吸い上げられ、シリンダ６ｂ内に貯留されることになる
これらの操作を繰り返すことにより、液体が次々と噴射されることになる。
【００４３】
本実施形態に係るトリガー式ポンプディスペンサー１０によれば、第１トリガー３に動きを与えるための第２トリガー５を備えることにより、容易に第１トリガー３を回動させることができる。
したがって、掌でトリガー式ポンプディスペンサー１０を握り、指を第２トリガー５に引っ掛けて手前に引く場合、第１トリガー３が斜め下方向に回動したとしても、第２トリガー５を略水平方向に引けば液体を噴射させることができるので、上記トリガー式ポンプディスペンサー１０は、トリガーを手前に引き易く、且つ力が入り易くなる。
【００４４】
以上、本発明の好適な実施形態について説明したが、本発明は上記実施形態に限定されるものではない。
【００４５】
例えば、本実施形態に係るトリガー式ポンプディスペンサー１０においては、液体貯留室６が、シリンダ部６ｂと、ピストン部６ａとを備えるシリンダとなっているが、これに限定されるものではない。
図３は、他の実施形態に係るトリガー式ポンプディスペンサーの液体貯留室を示す部分断面図である。
図３に示すように、上記トリガー式ポンプディスペンサーにおいて、液体貯留室は、スポイド式であってもよい。この場合、トリガーの回動により、スポイド１１が圧縮され、スポイド１１内の液体がノズル部に送流されることになる。
【００４６】
本実施形態に係るトリガー式ポンプディスペンサー１０において、第２トリガー５は、壁面５ａの先端が手前側とは反対側に曲がった湾曲状（正湾曲状）となっているが、これに限定されるものではない。
【００４７】
図４の（ａ）及び（ｂ）は、他の実施形態に係るトリガー式ポンプディスペンサーの第２トリガーを示す部分側面図である。
図４の（ａ）及び（ｂ）に示すように、第２トリガー１５ａは、壁面の先端が手前側に曲がった逆湾曲状となっている。すなわち、第２トリガー５と第２トリガー１５ａとは、互いに逆向きに湾曲している。
上記トリガー式ポンプディスペンサーにおいては、比較的小さい力で第２トリガー１５ａを回動させた場合であっても、第１トリガー３が確実に回動するようになる。
【００４８】
図５の（ａ）及び（ｂ）は、他の実施形態に係るトリガー式ポンプディスペンサーの第２トリガーを示す部分側面図である。
図５の（ａ）及び（ｂ）に示すように、第２トリガー１５ｂは、壁面が直線状となっている。
上記トリガー式ポンプディスペンサーにおいては、第２トリガー１５ｂと第１トリガー３との連動性がより向上する。
【００４９】
図６の（ａ）及び（ｂ）は、他の実施形態に係るトリガー式ポンプディスペンサーの第２トリガーを示す部分側面図である。
図６の（ａ）及び（ｂ）に示すように、第２トリガー１５ｃは、壁部の略中間で手前側とは反対側に折曲した、くの字状（正くの字状）となっている。
上記トリガー式ポンプディスペンサーにおいては、第２トリガー１５ｃを手前に引く場合、折曲した部分が指に引っ掛かるので、滑ることなく確実に第２トリガー１５ｃを引くことができる。
【００５０】
図７の（ａ）及び（ｂ）は、他の実施形態に係るトリガー式ポンプディスペンサーの第２トリガーを示す部分側面図である。
図７の（ａ）及び（ｂ）に示すように、第２トリガー１５ｄは、壁部の略中間で手前側に折曲した、逆くの字状となっている。すなわち、第２トリガー１５ｃと第２トリガー１５ｄとは、互いに逆向きに折曲している。
上記トリガー式ポンプディスペンサーにおいては、比較的小さい力で第２トリガー１５ｄを回動させた場合であっても、第１トリガー３が確実に回動するようになる。
【００５１】
図４〜図７に示すように、本発明に係るトリガー式ポンプディスペンサーにおいては、第１トリガーが摺接する第２トリガーの壁面のカーブを変えることにより、第１トリガーの第２トリガーへの追従度合いを変えることができる。
このため、第２トリガーを回動させる際の指にかかる圧力を変えることができる。
【００５２】
本実施形態に係るトリガー式ポンプディスペンサー１０においては、第１トリガー３が第２トリガー５に収容状態となっているが、収容されていなくてもよい。
【産業上の利用可能性】
【００５３】
本発明に係るトリガー式ポンプディスペンサーは、第２トリガーを備えることにより、水平方向に引き易くなるという利点を使用して、容器に収容された液体を噴射する装置の全般に好適に用いられる。
【符号の説明】
【００５４】
１・・・ベース体
２・・・ノズル部
２ａ・・・ノズル口
３・・・第１トリガー
３ａ・・・押圧部
３ｂ・・・把持部
３ｃ・・・先端
４・・・ノズルキャップ
５，１５ａ，１５ｂ，１５ｃ，１５ｄ・・・第２トリガー
５ａ・・・壁面
６・・・液体貯留室
６ａ・・・ピストン部
６ｂ・・・シリンダ部
６ｃ・・・管
７・・・キャップ
８・・・屈曲部
１０，２０・・・トリガー式ポンプディスペンサー
１１・・・スポイド
１３・・・第１トリガー用枢着部
１５・・・第２トリガー用枢着部
【図１】
2010269222.tif 000003
【図２】
2010269222.tif 000004
【図３】
2010269222.tif 000005
【図４】
2010269222.tif 000006
【図５】
2010269222.tif 000007
【図６】
2010269222.tif 000008
【図７】
2010269222.tif 000009
【図８】
2010269222.tif 000010